(57)【特許請求の範囲】
【請求項１】
ケース本体と開閉蓋と、ケース本体に支持された化粧料収納皿、該化粧料収納皿を被う中蓋とを備えたコンパクトであって、
化粧料収納皿の側壁上端部に軟材質のパッキンを装着し、該パッキンは、側壁上端部に支持される脚部と、脚部より外方に延びる外方水平部分とを有するとともに、上面が平坦な弾接面を形成しており、
中蓋に、前記パッキンに弾接する軟材質のパッキンを装着し、該中蓋のパッキンは、内側と外側に二条の突条を設け、内側の突条は化粧料収納皿のパッキンの前記脚部上に位置し、外側の突条は化粧料収納皿のパッキンの前記外方水平部分上に位置するとともに、内側の突条より高く隆起していることを特徴とする気密コンパクト。
【請求項２】
化粧料収納皿と中蓋のパッキンが、エラストマーによってインサート成形されていることを特徴とする請求項１記載の気密コンパクト。
【発明の詳細な説明】
【０００１】
【発明の属する技術分野】
本発明は、コンパクト、とくに芳香料を混入した化粧料を収納した気密コンパクトに関する。
【０００２】
【従来の技術】
コンパクトの化粧料収納皿に中蓋を被せ、化粧料収納皿と中蓋との間に軟材質のパッキンを配設して、化粧料中の香料が漏れないようにしたコンパクトは、従来より知られている。
【０００３】
【発明が解決しようとする課題】
しかしながら、従来のパッキンは、化粧料収納皿または中蓋の何れか一方のみに装着されていた。
シール性を高めるためには、パッキンの接触圧を強く取らなければならず、コンパクトの蝶番機構のばね、ばね受け、開閉機構の係合部等の各部品の強度をある程度強くしなければならないという問題があった。
また、長期間にわたって使用していると、接触圧が強いため、パッキンが疲労して気密性が減少するという問題があった。
【０００４】
本発明は、上記問題を解決することを課題として、弱い押圧力であってもパッキンのシール性を保持できるようにした気密コンパクトを提供することを目的とする。
【０００５】
【課題を解決するための手段】
本発明は、上記の課題を解決するため、気密コンパクトとして、ケース本体と開閉蓋と、ケース本体に支持された化粧料収納皿、該化粧料収納皿を被う中蓋とを備えたコンパクトであって、化粧料収納皿の側壁上端部に軟材質のパッキンを装着し、該パッキンは、側壁上端部に支持される脚部と、脚部より外方に延びる外方水平部分とを有するとともに、上面が平坦な弾接面を形成しており、中蓋に、前記パッキンに弾接する軟材質のパッキンを装着し、該中蓋のパッキンは、内側と外側に二条の突条を設け、内側の突条は化粧料収納皿のパッキンの前記脚部上に位置し、外側の突条は化粧料収納皿のパッキンの前記外方水平部分上に位置するとともに、内側の突条より高く隆起していることを特徴とする構成を採用する。
【０００６】
パッキンの実施形態として、化粧料収納皿と中蓋のパッキンが、エラストマーによってインサート成形されていることを特徴とする構成を採用する。
【０００７】
【発明の実施の形態】
次に、本発明の実施形態について、図面を参照して説明する。
図１，２において、Ａはケース本体、Ｂは化粧料収納皿、Ｃは中蓋、Ｄは開閉蓋、Ｅはパフである。
ケース本体Ａは、底壁１と側周壁２とを具えた底枠ａ１と、側周壁２に嵌合する周壁３と上壁４と段差壁５、段差壁５の内周から垂設された内壁６とを具えた上枠ａ２とから構成され、その外形は、角部を円弧とした前後左右の側辺からなる四角形としている。
【０００８】
ケース本体Ａの後側辺の中央部には、切欠部７が設けられ、開閉蓋Ｄの蝶番機構が収容されるようになっている。
ケース本体Ａの切欠部７に対向する前側辺の中央部には、開閉蓋Ｄに対する開閉機構８が配設されており、左側辺の上壁４の中央部には、中蓋Ｃの蝶番機構を構成する切溝９が穿設され、蝶番ピンが軸支されている。
【０００９】
図５に示すように、段差壁５の内周縁近くには、係止リング１０が立設され、内壁６の内周との間には、化粧料収納皿Ｂの保持段部１１が形成されている。
【００１０】
図３，５に示すように、化粧料収納皿Ｂは、角形状の底壁１２と各側辺の側壁１３とからなり、各側壁１３の上端近くには、等間隔をおいて切欠部１４を設けたフランジ１５が突設されており、側壁１３の外面の下方から、フランジ１５の切欠部１４を通って、側壁１３の上端１６にいたるパッキン１７が、インサート成形により各側壁１３の外周に接着されている。
【００１１】
パッキン１７は、エラストマーその他、軟材質の素材をもって成形され、フランジ１５に支持される脚部１８と、脚部１８から内外に水平に延びる弾接部１９とを有している。
弾接部１９の脚部１８より内方に延びた部分は、側壁１３の上端１６に弾接しており、脚部１８より外方に延びる外方水平部分２０の周縁からケース本体Ａの係止リング１０を乗り越えるように位置する側壁２１が垂設されている。
【００１２】
各側壁１３の上端１６の内側には、溝を挟んで上端１６より低い位置に突起２２が設けられ、突起２２には、係止条２３が嵌着されている。
【００１３】
中蓋Ｃは、図４に示すように、角形状の蓋板３０によって形成され、上面中央は、平坦な凹部３１となっており、各側周縁には突条３２が立設されている。
蓋板３０の左側辺には、蝶番用の連結片３３が連設され、連結片３３の反対側の右側、突条３２の上端に指掛け部３４が突出するように設けられ、その両側に蓋板３０の側辺から延設された一対の係止片３５が設けられている。
【００１４】
蓋板３０の前側辺には、ケース本体Ａの開閉機構８と係合する係合片３６が設けられている。
蓋板３０の下面には、周縁に沿って溝３７が刻設されており、溝３７内には、エラストマーその他軟材質のパッキン３８が、インサート成形によって埋め込まれている。
パッキン３８には、内側と外側に突起３９ａ，３９ｂが設けられており、外側の突起３９ｂは、内側の突起３９ａより高く隆起している。
【００１５】
連結片３３は、蝶番ピンに枢着される半円部を設けた二枚の挟持板よりなっており、蝶番ピンに嵌合することによって蝶番機構が構成される。
【００１６】
図１，２に示すように、開閉蓋Ｄは、本体ケースＡに対応した四角形状で、皿状に形成された頂壁４０と四つの側壁４１とを具え、後側壁４１ａ底面には、切欠部７に嵌挿される蝶番機構用の脚部４２が垂設されている。
【００１７】
脚部４２は、ケース本体Ａに軸支された蝶番ピンに枢支され、ばねによって開閉蓋Ｄが開放方向に付勢されるようになっている。
蝶番機構の反対側には、下端に鉤部を設けた係止片４３が垂設されており、ケース本体Ａに設けた開閉機構８に係合している。
頂壁４０の裏面には、鏡４４が装着されており、脚部４２と係止片４３の中心を通る線上に押え４５ａ，４５ｂが垂設されている。
【００１８】
開閉機構８は、図２に示すように、押圧部５０と係止杆５１、係止杆５１とケース本体Ａのばね受けとの間に弾装されたばね部５２とを具えている。
係止杆５１上端の外側には、開閉蓋Ｄの係止片４３に係合する鉤部が設けられ、内側には、ケース本体Ａの段差壁５の外周縁に設けられた係合突起５３に案内される係合部５４が設けられている。
【００１９】
次に、本発明コンパクトの作用効果について説明する。
コンパクトの開閉蓋Ｄを閉蓋したときは、係止片４３が係止杆５１の鉤部に係合して、開閉蓋Ｄの押え４５ａ，４５ｂが中蓋Ｃを押し下げ、中蓋Ｃによって化粧料収納皿Ｂが密閉される。
その際、化粧料収納皿Ｂのパッキン１７と中蓋Ｃのパッキン３８が係合して、化粧料収納皿Ｂを気密に保つ。
【００２０】
パッキン１７，３８の係合にあたって、図５に示すように、パッキン３８の突起３９ａが、パッキン１７の脚部１８上の弾接部に押圧される。
外側の突起３９ｂは、外方水平部分２０を押圧するが、外方水平部分２０は下方に撓むことができるので、双方の突起３９ａ，３９ｂが、パッキン１７に均等にのめり込み、シール性はきわめて高くなる。
【００２１】
開閉蓋Ｄを開くときには、開閉機構８の押圧部５０を押すと、係止杆５１と係止片４３の係合が外れ、開閉蓋Ｄがばね力によって開閉される。
同時に係合部５４が中蓋Ｃの係合片３６を押し上げ、中蓋Ｃをわずかに開いて、指掛け部３４とケース本体Ａの上壁４との間に指先が入るだけの隙間をつくり、中蓋Ｃの開放を容易にする。
【００２２】
前記実施形態では、コンパクトの外形を四角形状とし、化粧料収納皿と中蓋の形状を四角形とした特定の構成のものについて説明したが、コンパクトの外形、化粧料収納皿、中蓋の形状、構成は、実施形態に限られない。
【００２３】
【発明の効果】
本発明は、上記のように構成されているから、次の効果を奏する。
化粧料収納皿と、化粧料収納皿を被う中蓋に、エラストマーその他の軟材質のパッキンを装着し、軟材質のパッキン同士を弾接させるようにしたから、パッキンのシール性を高めることができた。
また、わずかな力でシールできるので、蝶番機構、開閉機構等の部品の強度をひくくすることができる。
【図面の簡単な説明】
【図１】本発明気密コンパクトの開閉蓋と中蓋を開蓋した斜視図である。
【図２】開閉蓋閉蓋時の側面断面図である。
【図３】化粧料収納皿の説明図で、（ａ）は断面図、（ｂ）は上面図である。
【図４】中蓋の説明図で、（ａ）は断面図、（ｂ）は裏面図である。
【図５】中蓋を閉じたときの、中蓋と化粧料収納皿の説明図で、（ａ）は側面断面図、（ｂ）は要部拡大図である。
【符号の説明】
Ａ              ケース本体
ａ１            底枠
ａ２            上枠
Ｂ              化粧料収納皿
Ｃ              中蓋
Ｄ              開閉蓋
Ｅ              パフ
８              開閉機構
１３            側壁
１４            切欠部
１５            フランジ
１６            上端
１７、３８      パッキン
１８            脚部
１９            弾接部
２０            外方水平部分
２１            側壁
３０            蓋板
３７            溝
３９ａ，３９ｂ  突起
【図１】
0004514925.tif 000002
【図２】
0004514925.tif 000003
【図３】
0004514925.tif 000004
【図４】
0004514925.tif 000005
【図５】
0004514925.tif 000006